(57)【要約】【課題】  セレクタレイジングカムの出没パターンが固定されずに、多様化や自由度を高めることが可能な、横編機の選針装置を提供する。【解決手段】  各セレクタレイジングカム２は、それぞれ駆動源として双安定ソレノイド４を設けて、個別に出没可能にする。セレクタレイジングカム２をキャリッジの走行方向に応じて固定される出没パターンに従って出没させるのではなく、個別に出没を切換えることができるので、使用するカムシステムの組合せを変えることなどで、多様な編成の要求に対応させることができる。【選択図】図１
2012087424.tif 000002
【特許請求の範囲】
【請求項１】
針床に並設される針溝に、先端側にフックを有し、基端側にセレクタを有する編針がそれぞれ収容され、編針を駆動して編成動作を行わせるカムシステムが針床に臨むように複数搭載されるキャリッジを針溝の並設方向に往復走行させる横編機で、キャリッジには、各カムシステムの両側にそれぞれ、駆動の対象となる編針のセレクタを選択する選針アクチュエータと、針床側に対して出没可能であり、針床側に突出する出の状態で、選択されたセレクタを駆動するセレクタレイジングカムとを、設ける横編機の選針装置において、
各セレクタレイジングカム毎に設けられ、針床側に対する出没切換えの駆動力を発生する駆動源と、
各セレクタレイジングカム毎に設けられ、セレクタレイジングカムを、針床側に突出させるように付勢するばねと、
各セレクタレイジングカム毎に設けられ、駆動源からの駆動力でセレクタレイジングカムが針床側への突出しないように駆動するか、ばねによる付勢で突出させるかの出没切換えを行う切換機構とを、
含むことを特徴とする横編機の選針装置。
【請求項２】
前記駆動源は、双安定ソレノイドである、
ことを特徴とする請求項１記載の横編機の選針装置。
【請求項３】
前記駆動源と前記セレクタレイジングカムとは間隔をあけて設けられ、
前記切換機構は、駆動源とセレクタレイジングカムとの間に設けられて、揺動支点から駆動源側に延びる駆動側腕に駆動源からの駆動力を受け、揺動支点からセレクタレイジングカム側に延びる従動側腕がセレクタレイジングカムに係合されるレバーを含む、
ことを特徴とする請求項１または２記載の横編機の選針装置。
【発明の詳細な説明】
【技術分野】
【０００１】
本発明は、横編機の針床に沿って往復走行するキャリッジに、編針を駆動して編成動作を行わせるカムシステムとともに搭載され、駆動する編針を選択する横編機の選針装置に関する。
【背景技術】
【０００２】
従来から、横編機では、針床に多数の針溝を並設し、各針溝に収容される編針を選択的に駆動して編地を編成している。各編針は、先端側にフックを有し、基端側にセレクタを有する。編針の駆動は、キャリッジを、針溝の並設方向に往復走行させて行う。キャリッジには、編成動作させる編針を選択する選針装置と、選針装置で選択された編針を駆動して編成動作させるカムシステムとが搭載される。選針装置は、駆動する編針のセレクタを選択する選針アクチュエータと、選択されたセレクタを駆動するセレクタレイジングカムとが設けられる。セレクタは、選針アクチュエータによる選択結果に応じて異なる状態で、セレクタレイジングカムの案内を受けるように駆動される。
【０００３】
複数のカムシステムを搭載するキャリッジには、走行方向に関し、各カムシステムの両側に、選針アクチュエータおよびセレクタレイジングカムがそれぞれ設けられる。各カムシステムの両側に設けられるセレクタレイジングカムは、キャリッジの走行方向に応じて、針床側への出没が連動して切換えられる。セレクタレイジングカムの出没パターンは、先行側が出て選択状態となっているセレクタを案内するように駆動し、後行側が没でセレクタを案内しない（たとえば、特許文献１参照）。
【先行技術文献】
【特許文献】
【０００４】
【特許文献１】特開平５−１５６５５３号公報
【発明の概要】
【発明が解決しようとする課題】
【０００５】
特許文献１のように走行方向に応じて行うセレクタレイジングカムの切換えは、出没の組合わせが固定されてしまう。たとえば、二つのカムシステムを搭載する場合、各カムシステムの先後に設けられる合計四のセレクタレイジングカムは、先行側から交互に、出、没、出、没の順で、出没パターンが固定されてしまう。キャリッジに複数のカムシステムを搭載する横編機では、キャリッジの走行ストローク毎に必ずしも全部のカムシステムを使用するとは限らず、使用するカムシステムの組合せを変えることで、多様な編成の要求に対応させることができる。しかしながら、セレクタレイジングカムの出没パターンが固定されていると、編成の多様化や自由度に制限を受ける。
【０００６】
本発明の目的は、セレクタレイジングカムの出没パターンが固定されずに、多様化や自由度を高めることが可能な、横編機の選針装置を提供することである。
【課題を解決するための手段】
【０００７】
本発明は、針床に並設される針溝に、先端側にフックを有し、基端側にセレクタを有する編針がそれぞれ収容され、編針を駆動して編成動作を行わせるカムシステムが針床に臨むように複数搭載されるキャリッジを針溝の並設方向に往復走行させる横編機で、キャリッジには、各カムシステムの両側にそれぞれ、駆動の対象となる編針のセレクタを選択する選針アクチュエータと、針床側に対して出没可能であり、針床側に突出する出の状態で、選択されたセレクタを駆動するセレクタレイジングカムとを、設ける横編機の選針装置において、
各セレクタレイジングカム毎に設けられ、針床側に対する出没切換えの駆動力を発生する駆動源と、
各セレクタレイジングカム毎に設けられ、セレクタレイジングカムを、針床側に突出させるように付勢するばねと、
各セレクタレイジングカム毎に設けられ、駆動源からの駆動力でセレクタレイジングカムが針床側への突出しないように駆動するか、ばねによる付勢で突出させるかの出没切換えを行う切換機構とを、
含むことを特徴とする横編機の選針装置である。
【０００８】
また本発明で、前記駆動源は、双安定ソレノイドである、
ことを特徴とする。
【０００９】
また本発明で、前記駆動源と前記セレクタレイジングカムとは間隔をあけて設けられ、
前記切換機構は、駆動源とセレクタレイジングカムとの間に設けられて、揺動支点から駆動源側に延びる駆動側腕に駆動源からの駆動力を受け、揺動支点からセレクタレイジングカム側に延びる従動側腕がセレクタレイジングカムに係合されるレバーを含む、
ことを特徴とする。
【発明の効果】
【００１０】
本発明によれば、セレクタレイジングカム毎に、針床側に対する出没切換の駆動力を発生する駆動源と、セレクタレイジングカムを突出させるように付勢するばねと、セレクタレイジングカムの出没切換えを行う切換機構とを含む。駆動源からの駆動力で切換機構を介してセレクタレイジングカムの出没を個別に切換えることができるので、出没パターンが固定されずに、多様化や自由度を高めることが可能となる。セレクタレイジングカムの突出は、ばねによる付勢で行われるので、セレクタレイジングカムがセレクタに作用する際に受ける負荷を、ばねで吸収することができる。
【００１１】
また本発明によれば、セレクタレイジングカムを出没させる駆動源として、可動鉄心の両端を軸受で支持する双安定ソレノイドを使用するので耐久性が向上し、動作が頻繁でも、駆動力を確実に発生させることができる。
【００１２】
また本発明によれば、駆動源からの駆動力をレバーの駆動側腕に受けて、従動側腕に結合されるセレクタレイジングカムを、ばねによる突出側への付勢に抗して、突出しないように駆動することができる。突出している際にセレクタレイジングカムが受ける負荷でレバーの従動側が押込まれても、レバーは駆動側が駆動源から離れるように揺動するので、駆動源への影響を避けることができる。
【図面の簡単な説明】
【００１３】
【図１】図１は、本発明の一実施例としての選針装置１を含むキャリッジのカム配置図である。
【図２】図２は、図１の選針装置１に使用するセレクタレイジングカム２の平面図、左側面図、正面図および底面図である。
【図３】図３は、図１の選針装置１の構成を示す、平面図、左側面図および正面図である。
【図４】図４は、図３の選針装置１の動作を示す左側面断面図である。
【発明を実施するための形態】
【００１４】
以下、図１では、本発明の一実施例としての横編機の選針装置１を、キャリッジに搭載している状態で示す。図２では、図１の選針装置１に設けられるセレクタレイジングカム２の構成を示す。図３では、図１の選針装置１の構成を示す。図４では、図３の選針装置１の動作を示す。各図で、対応する部分には同一の参照符を付し、重複する説明を省略する場合がある。また、説明の対象となる図には付していない参照符で、先に説明した図には付してあるものに言及する場合もある。
【実施例】
【００１５】
図１では、四つの選針装置１Ａ，１Ｂ，１Ｃ，１Ｄが配置されている状態で示す。各選針装置１Ａ，１Ｂ，１Ｃ，１Ｄは、基本的には同等の構成を有するので、同等の構成部分に言及する場合は、総称して、選針装置１として示す。選針装置１は、セレクタレイジングカム２、切換機構３、双安定ソレノイド４、ばね５、を含む。切換機構３は、レバー６を含む。各選針装置１には、選針アクチュエータ７も含まれる。選針アクチュエータ７は選針爪８を有し、セレクタの選針用バットを押圧してセレクタを針溝内で沈めるか否かで選針作用を行う。セレクタレイジングカム２は、針床側に突出する状態で、針溝内で浮上しているセレクタの前進用バットに作用し、沈んでいるセレクタとは異なる位置に移動させる作用斜面２ａを有する。選針装置１Ａ，１Ｂ間、および選針装置１Ｃ，１Ｄ間には、すべてのセレクタを針溝内で浮上させるセレクタ浮上カム９がそれぞれ設けられる。
【００１６】
四つの選針装置１Ａ，１Ｂ，１Ｃ，１Ｄは、キャリッジが針床に臨む表面に設けられるカム板１０上に配置される。カム板１０には、選針装置１Ａ，１Ｂ，１Ｃ，１Ｄによる選針状態に応じて編針を駆動する二つのカムシステム１１Ａ，１１Ｂも配置される。カムシステム１１Ａ，１１Ｂの配置は、キャリッジの走行方向に沿うようになされる。三以上のカムシステムをキャリッジに搭載する場合もある。複数のカムシステムは、必ずしも同等の構成を有するとは限らず、編目形成と目移しとを分けて、それぞれ専用にカムシステムを設けるような場合もある。
【００１７】
選針装置１は、キャリッジの走行方向に沿って、各カムシステムの両側に配置され、カムシステム間では、二つの選針装置１を使用して、二段階の選針が行われる。図１の場合、カムシステム１１Ａ，１１Ｂの両側には、選針装置１Ａ，１Ｂ；１Ｃ，１Ｄがそれぞれ配置される。なお、カムシステム１１Ａ，１１Ｂの左側に配置される選針装置１Ａ，１Ｃと、右側に配置される選針装置１Ｂ，１Ｄとは、それぞれ同等に構成する。左右の選針装置１Ａ，１Ｃと選針装置１Ｂ，１Ｄとは、図面に垂直で上下方向に延びる平面に関して、面対称となるように構成する。
【００１８】
セレクタレイジングカム２の作用斜面２ａでは、一段階目と二段階目の両段階の選針後に針溝内で浮上しているセレクタのみの前進用バットが作用を受ける。一段階目では選針され、二段階目では選針されなかったセレクタは、一段階目の選針後にセレクタガイドカム１２のガイド部１２ａの作用を受けるけれども、作用斜面２ａの作用は受けない。一段階目で選針されずに針溝に沈むセレクタは、ガイド部１２ａの作用も受けない。セレクタに対する作用の結果は、編針として、セレクタの前方に配置されるセレクトジャックの前進位置に反映される。両段階で選針される場合、一段階目の選針後にセレクタはガイド部１２ａの作用を受けるけれども、セレクトジャックの前進位置としては、作用斜面２ａの作用が反映される。したがって、二段階の選針では、セレクタを、作用斜面２ａの作用を受ける状態、ガイド部１２ａの作用のみを受ける状態、およびガイド部１２ａの作用も受けない状態の三つに分けることができる。三つの状態は、セレクトジャックの前進位置として三つのポジションに反映させ、たとえば、編針としての編目形成動作に関して、ニット、タック、およびミスにそれぞれ対応させることができる。
【００１９】
図１の一方側、たとえば左側のカムシステム１１Ａを使用し、他方側となる右側のカムシステム１１Ｂを使用しない場合を想定する。キャリッジの左行時、カムシステム１１Ｂの両側に設けられる選針装置１Ｃ，１Ｄ間のセレクタ浮上カム９が編幅の端部に達する位置１３ａまでキャリッジを左行させれば、次の右行時に、二つの選針装置１Ｃ，１Ｂを使用して二段階の選針を行い、編針のセレクトジャックを三つの前進位置に分けて、カムシステム１１Ａで選択的に駆動することができる。
【００２０】
ここで、カムシステム１１Ｂについては、選針装置１Ｃが左行時に先行側となっても、セレクタレイジングカム２を突出しない没状態となるように切換えておく。左行時に、選針装置１Ｂでカムシステム１１Ａについて一段階目の選針を行っても、選針装置１Ｃでは没状態のセレクタレイジングカム２が選針の状態を壊さないので、キャリッジが編幅外部に位置１３ｂまで抜ければよくなる。次の右行時には、選針装置１Ｂで二段階目の選針を行いながら、カムシステム１１Ａで編針を選択的に駆動する。位置１３ａから位置１３ｂまでの差１４だけ抜け代を小さくして、キャリッジの走行ストロークを短縮することができる。セレクタレイジングカム２をキャリッジの走行方向に応じて固定される出没パターンに従って出没させるのではなく、個別に出没を切換えることができるので、使用するカムシステムの組合せを変えることなどで、多様な編成の要求に対応させることができる。
【００２１】
図２は、図１の選針装置１Ｂ，１Ｄに使用するセレクタレイジングカム２の構成を、（ａ）では平面、（ｂ）では左側面、（ｃ）では正面、および（ｄ）では底面から、それぞれ示す。図１に示されるセレクタレイジングカム２は、図２（ｄ）の底面からの構成に対応する。セレクタレイジングカム２では、下部に作用斜面２ａが設けられ、中間部には、駆動部２ｂが設けられる。駆動部２ｂには、駆動溝２ｃが形成されている。セレクタレイジングカム２の上部には、摺動部２ｄが設けられる。摺動部２ｄには、ばね受け穴２ｅが形成されている。
【００２２】
図３は、図１の選針装置１の構成を、選針装置１Ｂ，１Ｄ側について、（ａ）では平面、（ｂ）では左側面および（ｃ）では正面から、それぞれ示す。選針装置１Ａ，１Ｃは、選針装置１およびセレクタレイジングカム２についての図２（ａ）、（ｃ）および図３（ａ），（ｃ），（ｄ）に関し、左右が対称となるように構成されている。
【００２３】
切換機構３は、カム板１０で、図１の裏面側に設けられる。双安定ソレノイド４は、駆動側ホルダ１５で保持される。ばね５は、従動側ホルダ１６のばねホルダ１６ａに設けるシリンダ１６ｂ内に収容される。ばね５の下部はセレクタレイジングカム２のばね受け穴２ｅに挿入されて保持される。双安定ソレノイド４の可動鉄心４ａは、下部と上部とを二つの軸受４ｂ、４ｃでそれぞれ支持され、二つのコイル４ｄ，４ｅへの通電に応じて、出没が切換えられる。図３では、可動鉄心４ａが上昇している状態を示す。通電状態を変えれば、可動鉄心を４ａを下降させることもできる。駆動源としては、たとえば単安定ソレノイドを用いることもできる。しかしながら、双安定ソレノイド４を駆動源として使用することによって、可動鉄心４ａの両側に軸受４ｂ，４ｃが設けられ、耐久性が向上するので、動作が頻繁に行われても、セレクタレイジングカム２を出没させる駆動力を、安定かつ確実に発生させることができる。
【００２４】
可動鉄心４ａの先端は、レバー６の駆動側腕６ａの先端に当接している。レバー６の従動側腕６ｂの先端は、セレクタレイジングカム２の駆動部２ｂの駆動溝２ｃに挿入されて係合している。レバー６は、駆動側腕６ａと従動側腕６ｂとの中間の支持部６ｃで従動側ホルダ１６に支持され、揺動変位が可能となっている。駆動側腕６ａが駆動源となる双安定ソレノイド４の可動鉄心４ａからの押圧力を受ければ、従動側腕６ｂに結合されるセレクタレイジングカム２の駆動部２ｂは、上方に駆動される。これによって、ばね５による突出側への付勢に抗して、セレクタレイジングカム２がカム板１０に没入するように駆動することができる。可動鉄心４ａがレバー６の駆動側腕６ａを押圧しない状態では、ばね５による付勢で、セレクタレイジングカム２はカム板１０から下方に突出する。この状態でセレクタレイジングカム２が過大な負荷や衝撃を受けてレバー６の従動側腕６ｂが上方に押込まれる際に、負荷や衝撃をばね５で吸収することができる。さらに、レバー６の駆動側腕６ａは可動鉄心４ａの先端から離れる下方に揺動するので、双安定ソレノイド４への負荷や衝撃の影響を避けることができる。
【００２５】
図４は、図１の選針装置１の動作を、（ａ）ではセレクタレイジングカム２がカム板１０から針床側へ突出する作用時、（ｂ）ではセレクタレイジングカム２がカム板１０の表面付近に没入する不作用時、としてそれぞれ示す。
【００２６】
選針装置１は、双安定ソレノイド４とは異なる駆動源、たとえば単安定ソレノイドやモータなどを使用することもできる。切換機構３にはレバー６を用いているけれども、上昇斜面を先端側に有する楔状部材を、セレクタレイジングカム２の駆動部２ｂに設ける駆動溝２ｃに進入させて上昇させ、退出させればばね付勢で下降させるような構成を用いることもできる。また、切換機構３として、ワイヤ状の部材で、セレクタレイジングカム２をカム板１０に没するように、駆動源で引上げるような構成を用いることもできる。
【符号の説明】
【００２７】
１，１Ａ，１Ｂ，１Ｃ，１Ｄ  選針装置
２  セレクタレイジングカム
２ａ  作用斜面
３  切換機構
４  双安定ソレノイド
５  ばね
６  レバー
７  選針アクチュエータ
１０  カム板
１１Ａ，１１Ｂ  カムシステム
【図１】
2012087424.tif 000003
【図２】
2012087424.tif 000004
【図３】
2012087424.tif 000005
【図４】
2012087424.tif 000006